(57)【要約】【課題】タッチパネルディスプレイ用クリーナーはクリーナーの布もしくは布加工品を別途持ち歩く必要があった。また従来のシール状のクリーナーでは、摩擦による変動に弱く耐久性に問題があった。【解決手段】タッチパネルディスプレイ用クリーナーを従来のシール状クリーナーよりも薄く仕上げ、指を拭くことでタッチパネルディスプレイを清潔に保つ。また、クリーナー部分とシール部分の圧着力を高め、剥離を抑え耐久力を向上させる。これにより別途の持ち運びを要せず、印刷加工や転写、微細な抜き加工が容易なタッチパネルディスプレイ用クリーナーとする。【選択図】図２
2014171205.tif 000002
【特許請求の範囲】
【請求項１】
タッチパネルを有するデバイスと一緒に用いられるタッチパネル用のクリーナーシートであって、クリーナーシートと、非転着再剥離シールシートまたは粘着層を備え、全体としてシート状に構成したものであって、前記非転着再剥離シールシートまたは粘着層を前記デバイスの筐体に貼り付けた状態で、前記クリーナーシートで、前記デバイスの使用者の手指の汚れを拭うようにしたことを特徴とする全体としてシート状に構成したタッチパネルディスプレイ用クリーナー。
【請求項２】
前記クリーナーシートと、前記非転着再剥離シールシートの間に、前記クリーナーシートと、前記非転着再剥離シールシートとを圧着する両面粘着テープを挟んでいる請求項１記載のタッチパネル用クリーナー。
【発明の詳細な説明】
【技術分野】
【０００１】  この発明は、スマートフォン等のデバイスに貼り付けて用いることができるシート状タッチパネルディスプレイ用クリーナーに関する。
【背景技術】
【０００２】  スマートフォンをはじめとするタッチパネルディスプレイは、例えば、指に付着した食べ物の油、埃、泥、手の脂が付着することにより汚れることが多く、画面が見えにくくなったり、不衛生であったりする問題がある。このようなタッチパネルディスプレイの汚れを拭くために、例えば、下記特許文献１に示されているような、携帯電話等のクリーナー用ストラップや、下記特許文献２および特許文献３に示されているような携帯電話等の筐体に貼り付けるクリーナーが提案されている。前記クリーナー用ストラップは、その一面側が合成皮革等で出来たクリーナー部とされており、他面側の表面に、宣伝用の文章や図形、あるいはロゴマークやキャラクター等が記載され、アクセサリーとしての機能が重要視されている。また貼り付けるクリーナーも取り外せることから、ディスプレイ部の汚れを拭き易くなった。
【先行技術文献】
【特許文献】
【０００３】
【特許文献１】実登３０８６９７５
【特許文献２】特開２００５−１５１５１５
【特許文献３】特開２００４−２７４６８８
【発明の概要】
【発明が解決しようとする課題】
【０００４】  しかしながら、以上の技術によれば、タッチパネル式ディスプレイ用のクリーナーを別途持ち運ぶか、ストラップ状にしたものをタッチパネル機器に付随させて持ち運ぶ必要があった。また、個体として持ち歩くために細かなデザインには向かないため、デザインに制約があった。そして、別途の持ち運びをしなくてよいようにするシール状にしたクリーナーは、クリーナー自体で画面を拭くため、付け剥がしが多数回にわたるため被着体とシール面の持久性に乏しく、また硬さが必要なため凹凸感を与えるものであった。
そこで、この発明は、デバイスとは別に布クリーナーやストラップ状のクリーナーを別途に持ち運ぶことを不要し、デザインの自由度を高めることができるシール状のタッチパネル用クリーナーを提供することを課題とする。
【課題を解決するための手段】
【０００５】  上記の課題を解決するために、本発明のタッチパネルディスプレイ用クリーナーは、タッチパネルを有するデバイスと一緒に用いられるタッチパネル用のクリーナーシートであって、クリーナーシートと、非転着再剥離シールシートまたは粘着層を備え、全体としてシート状に構成したものであって、非転着再剥離シールシートまたは粘着層をデバイスの筐体に貼り付けた状態で、クリーナーシートで、デバイスの使用者の手指の汚れを拭うようにしたことを特徴とする全体としてシート状に構成したタッチパネルディスプレイ用クリーナーである。まず、本発明の非転着再剥離シールシートまたは粘着層デバイスに貼り付けることにより、別途にクリーナーを持ち運ばなければならないという問題を解決できる。次に、本発明を操作する指で撫でることにより、指に付着した皮脂、汚れ、汗等を拭き取ることができ、ディスプレイへの汚れの付着を低減し、衛生的に保つという問題を解決できる。さらに、本発明は非転着再剥離シールで筐体に貼り付けているために、簡単に新しいものとの取り換えや他のデザインに変更できないという問題を解決できる。最後に、本発明は全体としてシール状なので、表面に印刷や転写が可能であり、また容易にカットすること可能となるので、デザインの自由度を高めることができることから、デザイン性の低さという問題を解決できる。【０００６】  また、上記の課題を解決するために、本発明のタッチパネルディスプレイ用クリーナーは、クリーナーシートと、非転着再剥離シールシートの間に、クリーナーシートと、非転着再剥離シールシートとを圧着する両面粘着テープを挟んでいる本発明のタッチパネル用クリーナーである。この場合も、本発明の非転着再剥離シールシートまたは粘着層でデバイスに貼り付けることにより、別途にクリーナーを持ち運ばなければならないという問題を解決できる。次に、本発明を操作する指で撫でることにより、指に付着した皮脂、汚れ、汗等を拭き取ることができ、ディスプレイへの汚れの付着を低減し、衛生的に保つという問題を解決できる。さらに、本発明は非転着再剥離シールで筐体に貼り付けているために、簡単に新しいものと取り換えや変更できないという問題を解決できる。最後に、本発明は全体としてシール状なので、表面に印刷や転写が可能であり、また容易にカットすること可能となるので、デザインの自由度を高めることができることから、デザイン性の低さという問題を解決できる。
【発明の効果】
【０００７】  上記のような本発明によると、非転着再剥離シールシートまたは粘着層でデバイスに貼り付けることにより、別途にクリーナーを持ち運ばなくてもよくなる。次に、本発明を操作する指で撫でることにより、指に付着した皮脂、汚れ、汗等を拭き取ることができ、ディスプレイへの汚れの付着を低減し、衛生的に保つことができる。さらに、本発明は非転着再剥離シールまたは粘着層で筐体に貼り付けているために、簡単に新しいものと取り換えや変更することができる。最後に、本発明は全体としてシール状なので、表面に印刷や転写が可能であり、また容易にカットすること可能となるので、デザインの自由度を高めることができることから、デザイン性の高いものを作ることができる
【図面の簡単な説明】
【０００８】
【図１】本発明の実施例に係るタッチパネルディスプレイ用クリーナー全体図および構造例を示す図。
【図２】同実施例のスマートフォンでの使用例を示す図。
【図３】同実施例のパーソナルコンピュータでの使用例を示す図。
【図４】同実施例のタブレット型パーソナルコンピュータでの使用例を示す図。
【図５】同実施例のカーナビゲーションシステムでの使用例を示す図。
【発明を実施するための形態】
【０００９】  以下、本発明の実施の形態を、実施例を示す図面を参照しつつ説明する。本発明は図１の図（１−１）に示すようにシート状の本発明１となる。本実施例の具体的な図（１−２）、（１−３）、（１−４）は本発明の一実施例を示すもので、本発明のタッチパネルディスプレイ用クリーナーは、本発明１の一面は図１１の織物、編物、不織布等によりなるクリーナーシートとされ、他面が、図１２の非転着再剥離タイプや強粘着タイプの接着剤を塗工したフィルムや紙等のシールシートから構成されている。そして、図１１クリーナーシートと図１２のシールシートは、図１３の分子勾配膜両面テープ等の薄型両面テープや図１４の直接塗工により圧着される。また、図１１クリーナーシートに図１２の接着剤を含浸または塗工することにより２層での構成も可能である。更に、図１１クリーナーシートに有機系防カビ・抗菌剤を含浸または塗工することに防カビ・抗菌機能を有することができる。また、図（１−５）に示すように、本発明１はハサミＡやカッターなどで使用者が必要に応じて自由にカットすることができる。
次に本発明のスマートフォンＤ１での使用例を図２に示す。図（２−１）で示すように、筐体Ｄ１２にあるスピーカー部Ｄ１２ａに合うように加工することで、本発明１をスマートフォンＤ１の前面に配置することができる。タッチスパネルＤ１１を操作する前に、使用者の指Ｈをぬぐうことにより、タッチパネルＤ１１の油脂やホコリなどの汚れを軽減することができる。また、図（２−２）のように本発明１は筐体Ｄ１２の裏面に設置することができる。また、図（２−３）のように微細な型抜き加工を施すことで様々な形状を採用することが可能である。さらに図（２−４）のように印刷や転写をすることができる。
その他の使用例を図３、図４、図５に示す。図（３−１）はノート型パーソナルコンピュータＤ３である。筐体Ｄ２２に本発明１を設置し、タッチパネルＤ２１、タッチスクリーンＤ２３、キーボードＤ２４を操作する前に、本発明１で使用者の指Ｈをぬぐうことにより、タッチパネルＤ２１、タッチスクリーンＤ２３、キーボードＤ２４の油脂やホコリなどの汚れを軽減することができる。
図（３−２）はタッチパネルディスプレイを搭載したモニターＤ３である。モニターの筐体Ｄ３２に本発明１を設置し、タッチスパネルＤ３１を操作する前に、使用者の指Ｈをぬぐうことにより、タッチパネルＤ３１の油脂やホコリなどの汚れを軽減することができる。
図４はタブレット型パーソナルコンピュータＤ４である。筐体Ｄ４２に本発明１を設置し、タッチパネルＤ４１を操作する前に、使用者の指Ｈをぬぐうことにより、タッチパネルＤ４１の油脂やホコリなどの汚れを軽減することができる。また、本発明１は筐体Ｄ４２裏面への設置も可能である。
図５はカーナビゲーションシステムＤ５である。筐体Ｄ５２に本発明１を設置し、タッチパネルＤ５１を操作する前に、使用者Ｈの指をぬぐうことにより、タッチパネルＤ５１の油脂やホコリなどの汚れを軽減することができる。また内蔵型で筐体Ｄ５２に本発明１を設置する場所がない場合は、ダッシュボード等に本発明１を設置することができる。
その他、券売機やＡＴＭなどのタッチパネルディスプレイを搭載するデバイス、装置にも上記図２、図３、図４、図５と同様に自由に設置、使用が可能である。
【００１０】  この実施形態によれば、モバイル機器などのタッチパネルディスプレイやその筐体自体にシールとして貼付でき、持ち運びに全く支障を来すことがなくなる。また、ス印刷や転写、微細な抜き加工を容易に行うことができる。更にタッチパネルディスプレイをきれいにするために、本発明品で拭く必要がなく、必要に応じてすぐに新しい本発明品に交換できる。
【符号の説明】
【００１１】１        タッチパネルディスプレイ用クリーナー
１１      クリーナーシート
１２      シールシート
１３      両面粘着テープ
１４      糊層
Ｄ１      スマートフォン本体
Ｄ１１    スマートフォンタッチパネル
Ｄ１２    スマートフォン筐体
Ｄ１２ａ  スマートフォン筐体スピーカー部
Ｄ２      ノート型パーソナルコンピュータ
Ｄ２１    ノート型パーソナルコンピュータタッチパネル
Ｄ２２    ノート型パーソナルコンピュータ筐体
Ｄ２３    タッチスクリーン
Ｄ２４    キーボード
Ｄ３      タッチパネル搭載モニター
Ｄ３１    タッチパネル搭載モニタータッチパネル
Ｄ３２    タッチパネル搭載モニター筐体
Ｄ４      タブレットコンピュータ
Ｄ４１    タブレットコンピュータタッチパネル
Ｄ４２    タブレットコンピュータ筐体
Ｄ５      カーナビゲーションシステム
Ｄ５１    カーナビゲーションシステムタッチパネル
Ｄ５２    カーナビゲーションシステム筐体
Ｈ        使用者の指
【図１】
2014171205.tif 000003
【図２】
2014171205.tif 000004
【図３】
2014171205.tif 000005
【図４】
2014171205.tif 000006
【図５】
2014171205.tif 000007